(57)【要約】【課題】  過負荷状態となった時に、電流値だけでなく電動機の温度上昇でも過負荷保護装置を働かせ、ダイオードを使用した回転数の制御方法においても、電流値が小さい状態で過負荷となった場合に電動機の温度を検知して回路を遮断する。【解決手段】  円筒形のガラスコップ１内にカッター７が設けられ、本体２の内部には電動機４が設けられ、スイッチ５の動作により電動機４が駆動して電動機４に連動したカッター７が回転し、ガラスコップ１内の材料が切削される電動調理器において、電動機４に過負荷が加わった場合に、ある一定電流以上の電流が、ある一定時間以上流れた場合に動作する過負荷保護装置８を過負荷時に電動機４の温度が上昇する部分の近傍に設け、該過負荷保護装置８は電流値の上昇により動作するばかりでなく、過負荷時等の電動機４の温度上昇を検出することによっても動作して電動機４に通じる電流を遮断するようにした。【選択図】  図１
2005087571.tif 000002
【特許請求の範囲】
【請求項１】
円筒形のガラスコップ（１）内にカッター（７）が設けられ、本体（２）の内部には電動機（４）が設けられ、スイッチ（５）の動作により電動機（４）が駆動して電動機（４）に連動したカッター（７）が回転し、ガラスコップ（１）内の材料が切削される電動調理器において、電動機（４）に過負荷が加わった場合に、ある一定電流以上の電流が、ある一定時間以上流れた場合に動作する過負荷保護装置（８）を過負荷時に電動機（４）の温度が上昇する部分の近傍に設け、該過負荷保護装置（８）は電流値の上昇により動作するばかりでなく、過負荷時等の電動機（４）の温度上昇を検出することによっても動作して電動機（４）に通じる電流を遮断することを特徴とする電動調理器。
【請求項２】
過負荷保護装置（８）が電動機（４）の外郭に位置するエンドブラケット（１０）の一部に接するようにして固定され、電動機（４）の外郭温度を検出して過負荷保護装置（８）を動作させ、電動機（４）に通じる電流を遮断することを特徴とした請求項１記載の電動調理器。
【請求項３】
過負荷保護装置（８）が電動機（４）の内部で最も加熱する固定子側コイル（１１）に巻き付けられるようにして固定され、電動機（４）のコイル温度を直接に検出して過負荷保護装置（８）を動作させ、電動機（４）に通じる電流を遮断することを特徴とした請求項１記載の電動調理器。
【請求項４】
過負荷保護装置（８）が電動機（４）の内部で平坦部分を確保できる鉄心（１２）部の平坦部に密着して固定され、電動機（４）のコイル温度を平坦部分で検出して過負荷保護装置（８）を動作させ、電動機（４）に通じる電流を遮断することを特徴とした請求項１記載の電動調理器。
【請求項５】
電動機（４）に直列にダイオード（９）と、半波整流によって回転数を低下させるスイッチ（５）を設け、電動機（４）の温度を検知して過負荷保護装置（８）を動作させ、電動機（４）に通じる電流を遮断することを特徴とした請求項１から請求項４記載の電動調理器。
【発明の詳細な説明】
【技術分野】
【０００１】
本発明は、一般家庭用のミキサーなどの電動調理器に関するものである。
【背景技術】
【０００２】
従来のこの種の電動調理器では、一般的に図５のように構成されていた。（特許文献１参照）
図５において、円筒形のガラスコップ２３の内部にカッター２４が設けられ、本体２１内部には電動機２２が設けられるとともに、本体２１の上面にスイッチ２５が設けられている。このスイッチ２５を操作することにより、電動機２２に連動したカッター２４が回転し、ガラスコップ２３内の材料が撹袢切削されるものである。
【０００３】
このとき、切削される材料が規定材料よりも重い負荷の場合は電動機２２を流れる電流が増加するため、この電流を過負荷保護装置２０が検知して電動機２２への電流を遮断するように構成されている。
【０００４】
そして、過負荷保護装置２０が動作した場合は、リセットレバー（図示せず）を操作することで過負荷保護装置２０を復帰させて再び使用できるようになるものである。
【０００５】
この過負荷保護装置２０は、本体２１内部で電動機２２から離れて設けられているため、過負荷保護装置２０内に電流が通じることにより発熱するバイメタル（図示せず）が設けられているものであっても、過負荷時でも電動機２２へ流れる電流が増加した場合にのみ動作するだけであり、過負荷時等に過負荷電流がある一定電流以上、ある一定時間に達しない状態では、過負荷保護装置２０は働かない構造となっていた。
【０００６】
特に、特開平２００２−３０６３５０号公報（特許文献２参照）に示されているようなダイオード等で電流を減らして回転数の制御を行なう製品では、過負荷時でも電流値の増加は少なくなっているが、このような製品でも過負荷保護装置２０は、本体２１内部で電動機２２から離れて設けられている。
【０００７】
【特許文献１】特開昭５９−１８６５３１号公報
【０００８】
【特許文献２】特開２００２−３０６３５０号公報
【発明の開示】
【発明が解決しようとする課題】
【０００９】
このような従来の構造では、ミキサー使用時に過負荷電流がある一定以上に到達しない状態での過負荷状態では過負荷保護装置は働かず、電動機の温度が上昇してもそれを検出することができず、しまいには電動機が発煙するといった状態となる場合が生じていた。
【００１０】
特に、粘り気のある材料の山芋等の攪拌においては、初期の過負荷時の電流値が低く、だんだんと粘性が出てきた時に、電流値が徐々に増えて行くため、電流値の増加では過負荷保護装置を働かせるだけの電流値にはならず、過負荷保護装置が働かない状態で電動機だけが温度上昇してゆくために、電動機の各部分が異常に温度上昇して、あるものは回転子に電力を供給するブラシ部分を保持しているホルダーが変形してブラシが動かなくなり、ブラシから回転子に電気を供給することができずに回転子を固着させてしまったり、異常なコイルの発熱によりコイルのワニス部分や結束バンド部分が発煙し、最悪では、電動機を支えているプラスチック製の本体まで溶解する現象を発生させていた。
【００１１】
また、ダイオード等で電流を減らして回転数を調節する機構の製品においては、過負荷時等でも電流値があまり上昇しないため、過負荷保護装置は働かずに電動機が温度上昇してしまうこととなっていた。このため、電動機の温度が異常に上昇している状態でも回転が停止せずに発煙状態まで達し、しまいには製品本体が溶解する現象まで発生させ、常に攪拌する物に注意して取り扱う必要があり、大変不便な構造となっていた。
【課題を解決するための手段】
【００１２】
本発明は上記の課題を解決するためになされたものであり、円筒形のガラスコップ内にカッターが設けられ、本体の内部には電動機が設けられ、スイッチの動作により電動機が駆動して電動機に連動したカッターが回転し、ガラスコップ内の材料が切削される電動調理器において、電動機に過負荷が加わった場合に、ある一定電流以上の電流が、ある一定時間以上流れた場合に動作する過負荷保護装置を過負荷時に電動機の温度が上昇する部分の近傍に設け、該過負荷保護装置は電流値の上昇により動作するばかりでなく、過負荷時等の電動機の温度上昇を検出することによっても動作して電動機に通じる電流を遮断するものである。
【００１３】
また、具体的な手段として、請求項２では、過負荷保護装置が電動機の外郭に位置するエンドブラケットの一部に接するようにして固定され、電動機の外郭温度を検出して過負荷保護装置を動作させ、電動機に通じる電流を遮断するようにしたものである。
【００１４】
また、請求項３では、過負荷保護装置が電動機の内部で最も加熱する固定子側コイルに巻き付けられるようにして固定され、電動機のコイル温度を直接に検出して過負荷保護装置を動作させ、電動機に通じる電流を遮断するようにしたものである。
【００１５】
また、請求項４では、過負荷保護装置が電動機の内部で平坦部分を確保できる鉄心部の平坦部に密着して固定され、電動機のコイル温度を平坦部分で検出して過負荷保護装置を動作させ、電動機に通じる電流を遮断するようにしたものである。
【００１６】
さらに、請求項５では、電動機に直列にダイオードと、半波整流によって回転数を低下させるスイッチを設け、電動機の温度を検知して過負荷保護装置を動作させ、電動機に通じる電流を遮断するようにしたものである。
【発明の効果】
【００１７】
以上、本発明によれば、ミキサー使用時に過負荷状態となった時に、電流値でも電動機の温度上昇でも過負荷保護装置を働かせることができるため、より確実な保護装置として使用することができる。
【００１８】
特に、ダイオードを使用した制御の製品においては、電流値が小さい状態で過負荷となった場合にも電動機の温度を検知して回路を遮断することができ、電動機が温度上昇して回転しなくなったり、温度上昇により発煙、溶解などを引き起こすことがなくなり、安全性にきわめて優れた製品とすることができる。
【００１９】
このため、使用する側で使い方を誤っても過負荷保護装置で製品を保護することができ、再びリセットレバーを押すことで再使用が可能となるため、大変使い易い優れた電動調理器を提供することができ、きわめて大きな効果を得ることができるものである。
【発明を実施するための最良の形態】
【００２０】
以下、本発明の実施の形態について図１から図４により説明する。
【００２１】
図１は本発明の一実施例による電動調理器の全体の断面図、図２は本発明の他の一実施例による電動調理器の全体の断面図、図３は本発明の一実施例の電動機部の概略説明図、図４は本発明の一実施例による電動調理器の回路図である。
【００２２】
図において、１は円筒形のガラスコップ、２は本体である。ガラスコップ１下部には着脱自在にカッター台３が設けられ、本体２内部に電動機４が設けられるとともに、本体２の上面にスイッチ５が設けられている。このスイッチ５を操作することにより電動機４に通電され、電動機４並びに接続するカップリング６が回転し、さらにカップリング６に連結したカッター台３の中央部に回転自在に設けられた材料切断用のカッター７により、ガラスコップ１内の材料が撹袢切削され液体状のドリンク類を作るものである。
【００２３】
この構造において、ドリンク等を作成する場合の切断時にガラスコップ１内の材料の量が多かったり、調理する前作業での材料の切断の形状が大き過ぎたりした場合には、電動機４に過負荷が加わり、回転の起動時に電流がある一定以上、ある一定時間以上流れた場合、電動機４に直列に接続された過負荷保護装置８内のバイメタル（図示せず）が過電流により発熱し、バイメタルが反転動作して接点が開放し、電動機４への電流を遮断することになるものである。
【００２４】
ここで、過負荷保護装置８を設ける位置としては、電動機４の温度が上昇した際に同時に温度上昇する部分が望ましく、例えば図３の８（Ｂ）に示すように電動機４のエンドブラケット１０、または８（Ａ）に示すように鉄心１２、または８（Ｃ）に示すように固定子側コイル１１内等がある。このように設けることによって、電動機４の過負荷による温度上昇を過負荷保護装置８が直接捕らえることができ、温度上昇によっても内部にあるバイメタルが反転動作して接点を開放し、電動機４に通じる電流を遮断する構成となっているものである。
【００２５】
図４は高速回転と低速回転の二つを実現させた電動調理器の回路で、電源１４の一端に過負荷保護装置８を介して２つの切替え接点５ａ、５ｂが夫々並列に接続されたスイッチ５を接続し、切替え接点５ａにダイオード９を接続して電動機４をスイッチ５に直列に接続し、電動機４の他端を電源１４に接続している。
【００２６】
次に、本実施例の作用について説明する。
【００２７】
まず、ガラスコップ１内に材料を投入し、本体２上に乗せてスイッチ５を操作すると、電動機４へ通電され、カップリング６を介してカッター７が回転する。カッター７の回転により、材料は回転攪拌しながら切削され、液体状のドリンクとなる。
【００２８】
この状態において、ドリンク等を作成する場合の切断時にガラスコップ１内の材料の量が多かったり、調理する前作業での材料の切断の形状が大き過ぎたりした場合には、電動機４に過負荷が加わり、回転の起動時に電流がある一定電流以上、ある一定時間以上流れた場合、電動機４に直列に接続された過負荷保護装置８が動作して電動機４への電流を遮断する。
【００２９】
また、図４に示すように二つの切替え接点５ａ、５ｂを通して電動機４に電流が供給される回路構成を持ち、通常の高速回転とは別に切替え接点５ａ及びダイオード９を通して半波整流を行ない低速回転を実現している製品では、半波整流により電動機４へ流れる電流が低下しているため、攪拌材料が多すぎて過負荷状態となっても、電流値の増加を過負荷保護装置８では検出することができないため過負荷状態を続けることがある。この場合でも本発明によれば、電動機４の温度上昇によって、電動機４の近傍又は内部に位置する過負荷保護装置８が動作し接点を開放するため、電動機４の異常温度上昇を防止することができ、発煙、溶解等の現象を防止できる。
【００３０】
また、この過負荷保護装置８のバイメタルは、電動機４が平常温度に戻ると再び反転して通常の状態に戻るので、リセットレバー１３を押すことによって過負荷保護装置８の接点が閉じて、再び電動機４を回転させることができるようになる。
【００３１】
このように、上記構造によれば、ミキサー使用時に過負荷状態となった時に、電動機４の電流値あるいは温度上昇で過負荷保護装置８を働かせることができるため、より確実な保護装置として使用することができる。このため、粘性はあるが初期の電流があまり高くならないものの攪拌においても、電動機４が発熱した時点で温度検知により回路を遮断することができる。
【００３２】
さらに、過負荷保護装置８を電動機４の８（Ａ）、８（Ｂ）、８（Ｃ）の部分に固定した場合には、電動機４の異常温度を直接かつ正確に検知して電動機４の回路を遮断することができる。
【００３３】
また、ダイオード９を使用した半波整流により回転数を制御する構造の製品においても、電流値が小さくても過負荷により電動機４自体が温度上昇することで、過負荷保護装置８が温度検知により電動機４の回路を遮断することができ、安全性に優れた使い易いミキサーを提供することができる。
【図面の簡単な説明】
【００３４】
【図１】本発明の一実施例によるミキサー機能使用時の電動調理器の全体の断面図。
【図２】本発明の他の一実施例による電動調理器の全体の断面図。
【図３】本発明の一実施例の電動機部の概略説明図。
【図４】本発明の一実施例による電動調理器の回路図。
【図５】従来例の電動調理器の全体の断面図。
【符号の説明】
【００３５】
１・・・ガラスコップ
２・・・本体
４・・・電動機
５・・・スイッチ
７・・・カッター
８・・・過負荷保護装置
９・・・ダイオード
１０・・・エンドブラケット
１１・・・固定子側コイル
１２・・・鉄心
【図１】
2005087571.tif 000003
【図２】
2005087571.tif 000004
【図３】
2005087571.tif 000005
【図４】
2005087571.tif 000006
【図５】
2005087571.tif 000007